【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ポーラ符号のサブチャネルを、前記サブチャネルの各々の信頼性に少なくとも一部基づいて、複数の情報ビット、複数の誤り検出ビット、および複数の動的凍結ビットに割り振るステップであって、前記複数の誤り検出ビットの数が定められた誤警報率に少なくとも一部基づき、前記複数の動的凍結ビットの各々がパリティチェック値を含み、前記複数の動的凍結ビットの数が、パリティ指向の逐次除去リスト(SCL)復号の間の目標検出率に少なくとも一部基づく、ステップと、
前記サブチャネルの復号順序に少なくとも一部基づいて、前記複数の動的凍結ビットを生成するステップと、
前記複数の情報ビット、前記複数の誤り検出ビット、および前記複数の動的凍結ビットを前記割り振られたサブチャネルへとロードしたことに少なくとも一部基づいて、前記ポーラ符号を使用して符号化される符号語を生成するステップと、
前記符号語を送信するステップとを備える、方法。
【請求項２】
前記複数の動的凍結ビットの前記数が、前記パリティ指向の逐次除去リスト(SCL)復号の間の早期打ち切りを可能にすることに少なくとも一部基づく、請求項1に記載の方法。
【請求項３】
前記複数の誤り検出ビットの前記数が定められた検出率に少なくとも一部基づく、請求項1に記載の方法。
【請求項４】
前記ポーラ符号の前記サブチャネルを割り振るステップがさらに、
凍結ビットのための前記サブチャネルのサブセットを特定するステップと、
前記ポーラ符号の前記サブチャネルサブセットのうちのサブチャネルの第2のサブセットより高い信頼性を有する、前記サブチャネルサブセットのうちのサブチャネルの第1のサブセットを、前記動的凍結ビットに割り振るステップとを備える、請求項1に記載の方法。
【請求項５】
前記複数の情報ビットおよび前記複数の誤り検出ビットが、前記動的凍結ビットに割り振られるサブチャネルよりも高い信頼性を有するサブチャネルに割り振られる、請求項1に記載の方法。
【請求項６】
前記複数の誤り検出ビットを生成するために、誤り検出アルゴリズムを前記複数の情報ビットに適用するステップをさらに備える、請求項1に記載の方法。
【請求項７】
前記複数の動的凍結ビットを生成するステップが、
前記複数の動的凍結ビットに対する値をそれぞれ生成するために、前記複数の情報ビットの1つまたは複数のサブセットにブーリアン演算を適用するステップを備え、前記複数の情報ビットの前記1つまたは複数のサブセットが前記サブチャネルの前記復号順序に従って決定される、請求項1に記載の方法。
【請求項８】
ワイヤレス通信のための方法であって、
ポーラ符号を使用して符号化される符号語を備える信号を受信するステップであって、前記符号語が、前記符号語の共同検出および復号のための、複数の動的凍結ビット、複数の情報ビット、および複数の誤り検出ビットに少なくとも一部基づいて生成される、ステップと、
前記符号語の復号を実行するステップであって、
前記複数の動的凍結ビットに少なくとも一部基づいて前記符号語の復号の早期打ち切りについての判定を行うための復号経路の第1のサブセットをパリティチェックすることと、
前記動的凍結ビットに少なくとも一部基づいて前記パリティチェックに各々合格する前記復号経路の第2のサブセットに対する経路尺度を生成することと、
前記複数の誤り検出ビットの表現および前記生成された経路尺度に少なくとも一部基づいて前記復号経路の前記第2のサブセットのうちの1つに対応するビットシーケンスに対して誤り検出を実行することと
を少なくとも含む、ステップと、
前記復号の結果に少なくとも一部基づいて前記情報ビットを処理するステップとを備える、方法。
【請求項９】
複数の復号経路の各々について前記複数の情報ビットの1つまたは複数のサブセットにブーリアン演算を適用することによって前記復号経路の前記各々のための複数のパリティビットのうちのあるパリティビットに対するパリティチェック値を計算するステップをさらに備え、前記複数の情報ビットの前記1つまたは複数のサブセットがサブチャネルの復号順序に従って決定される、請求項8に記載の方法。
【請求項１０】
延長された復号経路を得るために前記復号経路を延長するステップと、
経路選択基準に従って、前記延長された復号経路のサブセットを選択するステップとをさらに備える、請求項8に記載の方法。
【請求項１１】
前記ビットシーケンスに少なくとも一部基づいて第1の誤り検出符号を計算するステップと、
前記ビットシーケンスに少なくとも一部基づいて第2の誤り検出符号を特定するステップと、
前記第1の誤り検出符号を前記第2の誤り検出符号と比較するステップとをさらに備える、請求項8に記載の方法。
【請求項１２】
復号経路の前記第1のサブセットの前記パリティチェックを少なくとも含む前記符号語の復号を実行するステップが、
復号経路の前記第1のサブセットの第1の復号経路に沿って前記複数の動的凍結ビットの第1の動的凍結ビットの前にある、前記第1の復号経路の複数のビットに少なくとも一部基づいて、パリティチェック値を計算するステップと、
前記パリティチェック値を前記第1の動的凍結ビットの値と比較するステップとを備える、および/または、
前記復号経路の前記第2のサブセットに対する経路尺度を生成することを少なくとも含む前記符号語の復号を実行するステップが、
前記複数の動的凍結ビットの第1の動的凍結ビットの計算された値が前記動的凍結ビットの決定された判定値と異なることを決定したことに少なくとも一部基づいて、前記復号経路の前記第2のサブセットの中の第1の復号経路に経路尺度ペナルティを加えるステップを備える、請求項8に記載の方法。
【請求項１３】
ワイヤレス通信のための装置であって、
ポーラ符号のサブチャネルを、前記サブチャネルの各々の信頼性に少なくとも一部基づいて、複数の情報ビット、複数の誤り検出ビット、および複数の動的凍結ビットに割り振るための手段であって、前記複数の誤り検出ビットの数が定められた誤警報率に少なくとも一部基づき、前記複数の動的凍結ビットの各々がパリティチェック値を含み、前記複数の動的凍結ビットの数が、パリティ指向の逐次除去リスト(SCL)復号の間の目標検出率に少なくとも一部基づく、手段と、
前記サブチャネルの復号順序に少なくとも一部基づいて、前記複数の動的凍結ビットを生成するための手段と、
前記複数の情報ビット、前記複数の誤り検出ビット、および前記複数の動的凍結ビットを前記割り振られたサブチャネルへとロードしたことに少なくとも一部基づいて、前記ポーラ符号を使用して符号化される符号語を生成するための手段と、
前記符号語を送信するための手段とを備える、装置。
【請求項１４】
ワイヤレス通信のための装置であって、
ポーラ符号を使用して符号化される符号語を備える信号を受信するための手段であって、前記符号語が、前記符号語の共同検出および復号のための、複数の動的凍結ビット、複数の情報ビット、および複数の誤り検出ビットに少なくとも一部基づいて生成される、手段と、
前記符号語の復号を実行するための手段であって、
前記複数の動的凍結ビットに少なくとも一部基づいて前記符号語の復号の早期打ち切りについての判定を行うための復号経路の第1のサブセットをパリティチェックすることと、
前記動的凍結ビットに少なくとも一部基づいて前記パリティチェックに各々合格する前記復号経路の第2のサブセットに対する経路尺度を生成することと、
前記複数の誤り検出ビットの表現および前記生成された経路尺度に少なくとも一部基づいて前記復号経路の前記第2のサブセットのうちの1つに対応するビットシーケンスに対して誤り検出を実行することと
を少なくとも含む、手段と、
前記復号の結果に少なくとも一部基づいて前記情報ビットを処理するための手段とを備える、装置。
【請求項１５】
ワイヤレス通信のためのコードを記憶するコンピュータ可読記録媒体であって、前記コードが、請求項1から7および8から12のうちのいずれか一項に記載の方法をプロセッサに実行させるように前記プロセッサにより実行可能な命令を含む、コンピュータ可読記録媒体。